(57)【要約】【課題】  無理なく握ることが可能で操作しやすい操作部を備える内視鏡用処置具を提供すること。【解決手段】  操作部１０は、操作管部６の基端に一端１２ａが固定され操作管部６が鉗子チャンネルに挿通された状態で鉗子口から立設される本体１２と、操作ワイヤ部１１の基端と接続され本体１２の一端１２ａと他端１２ｂとの間で進退自在なスライダ部１３とを備えている。スライダ部１３には、親指と係合可能な第１の指受け部１５が設けられており、本体１２の中心軸上に親指が挿通可能な親指孔部１６が備えられている。  本体１２の先端である一端１２ａには、鉗子チャンネルと嵌合可能な剛性部２０が設けられている。また、他端１２ｂには、人差し指や中指等のその他の指が係合可能な円筒状の第２の指受け部２１が中心軸上に設けられている。【選択図】  図１
2005080883.tif 000002
【特許請求の範囲】
【請求項１】
内視鏡の鉗子口から鉗子チャンネル内に挿通される可撓性の操作管部と、
該操作管部の先端に接続された処置具先端部と、
前記操作管部の基端に接続され前記処置具先端部を操作する操作部とを備え、
前記操作管部の内部には、進退操作によって前記処置具先端部を駆動する操作ワイヤ部が配設され、
前記操作部が、前記操作管部の基端に一端が固定され操作管部が鉗子チャンネルに挿通された状態で鉗子口から立設される本体と、
前記操作ワイヤ部の基端と接続され前記本体の一端と他端との間で進退自在なスライダ部とを備え、
前記スライダ部に、第１の指受け部が１つ設けられ、
前記本体の他端に、第２の指受け部が設けられていることを特徴とする内視鏡用処置具。
【請求項２】
前記第１の指受け部が、親指と係合可能に形成され、
前記第２の指受け部が、その他の指受け部と係合可能に形成されていることを特徴とする請求項１に記載の内視鏡用処置具。
【請求項３】
前記第１の指受け部が、親指が挿通可能な親指孔部を備え、前記第２の指受け部が、その他の指が挿通可能な一つ又は複数の孔部を備え、
前記孔部全体の中心と前記親指孔部の中心とを結ぶ直線が、前記スライダ部の進退方向に沿って配されていることを特徴とする請求項１又は２に記載の内視鏡用処置具。
【請求項４】
前記本体の先端に、前記鉗子チャンネルと嵌合可能な剛性部が設けられていることを特徴とする請求項１から３の何れか一つに記載の内視鏡用処置具。
【請求項５】
前記本体の先端に、前記鉗子口に着脱可能な取付部が設けられていることを特徴とする請求項１から４の何れか一つに記載の内視鏡用処置具。
【発明の詳細な説明】
【技術分野】
【０００１】
本発明は、内視鏡の鉗子チャンネルに挿入して操作する内視鏡用処置具に関する。
【背景技術】
【０００２】
硬性内視鏡用処置具には、先端側に設けられた先端作動部を進退操作するスライダが基端側に設けられており、スライダには、操作の際に指が係合可能な孔状の指受け部が形成されている（例えば、特許文献１参照。）。
一方、軟性内視鏡の鉗子チャンネルに挿通して使用する内視鏡用処置具には、処置具を操作する部分に指をかけて操作するための指受け部材が設けられている。
このような処置具として、鉗子チャンネル内に挿通後、操作部を鉗子口から立設させて垂れ下がらない状態とし、内視鏡操作者による安定的な操作を可能とする内視鏡用処置具が提案されている（例えば、特許文献２参照。）。
【特許文献１】特開平８−１３１４５１号公報  （第１図）
【特許文献２】実開平３−５３２１１号公報  （第１図）
【発明の開示】
【発明が解決しようとする課題】
【０００３】
しかしながら、上記従来の内視鏡用処置具を鉗子口に立設して操作する際、操作部の親指用の指受け部が上方に、人差し指・中指用の指受け部が下方に位置する。このため操作部に手をかけたとき、楽な姿勢となる手の指の配置とは逆の配置となるため、図８に示すように、手首を曲げた状態で操作部を握らなければならず、術者の手への負担、操作の煩わしさを生じていた。
本発明は、上記事情に鑑みて成されたもので、無理なく握ることが可能で操作しやすい操作部を備える内視鏡用処置具を提供することを目的とする。
【課題を解決するための手段】
【０００４】
本発明は、上記課題を解決するため以下の手段を採用する。
本発明に係る内視鏡用処置具は、内視鏡の鉗子口から鉗子チャンネル内に挿通される可撓性の操作管部と、該操作管部の先端に接続された処置具先端部と、前記操作管部の基端に接続され前記処置具先端部を操作する操作部とを備え、前記操作管部の内部には、進退操作によって前記処置具先端部を駆動する操作ワイヤ部が配設され、前記操作部が、前記操作管部の基端に一端が固定され操作管部が鉗子チャンネルに挿通された状態で鉗子口から立設される本体と、前記操作ワイヤ部の基端と接続され前記本体の一端と他端との間で進退自在なスライダ部とを備え、前記スライダ部に、第１の指受け部が１つ設けられ、前記本体の他端に、第２の指受け部が設けられていることを特徴とすることを特徴とする。
【０００５】
この内視鏡用処置具は、上記の構成を備えているので、鉗子チャンネル内に挿通した場合、操作部が鉗子口から垂れ下がることなく上方に立設した状態で取り付けることができる。その際、第１の指受け部が１つ設けられているので、これに親指を係合し、第２の指受け部にその他の指を係合すると、本体の一端側と他端側とにそれぞれ親指とその他の指とを配した状態でスライダ部を両指間でスライド操作して処置具先端部を操作することができる。このとき、下方に親指が配され上方にその他の指が配されるので、手を自然に上にあげた状態で手首をひねることなく、自然に、かつ、楽な姿勢でスライド操作を行うことができる。
【０００６】
本発明に係る内視鏡用処置具は、前記内視鏡用処置具であって、前記第１の指受け部が、親指と係合可能に形成され、前記第２の指受け部が、その他の指受け部と係合可能に形成されていることが好ましい。
この内視鏡処置具は、上記の構成を備えているので、より自然な状態で第１の指受け部に親指を係合でき、第２の指受け部にその他の指を係合できる。したがって、楽な姿勢でスライド操作を行うことができる。
【０００７】
本発明に係る内視鏡用処置具は、前記内視鏡用処置具であって、前記第１の指受け部が親指が挿通可能な親指孔部を備え、前記第２の指受け部がその他の指が挿通可能な一つ又は複数の孔部を備え、前記孔部全体の中心と前記親指孔部の中心とを結ぶ直線が、前記スライダ部の進退方向に沿って配されていることが好ましい。
この内視鏡用処置具は、上記の構成を備えているので、親指とその他の指とをスライダ部のスライド方向に沿って動かすことによりスライダ部の操作が容易になるとともに、操作の際に無駄な力を入れる必要がなく、より楽な姿勢で操作することができる。
【０００８】
本発明に係る内視鏡用処置具は、前記内視鏡用処置具であって、前記本体の先端に、前記鉗子チャンネルと嵌合可能な剛性部が設けられていることが好ましい。
この内視鏡用処置具は、上記の構成を備えているので、剛性部を鉗子口に挿入して鉗子チャンネルと嵌合させると操作部を鉗子口に固定状態とすることができ、鉗子口から立設させた操作部を安定した状態で操作することができる。
【０００９】
本発明に係る内視鏡用処置具は、前記内視鏡用処置具であって、前記本体の先端に、前記鉗子口に着脱可能な取付部が設けられていることが好ましい。
この内視鏡用処置具は、上記の構成を備えているので、取付部を鉗子口に取り付けて固定することによって、操作部をより安定した状態で鉗子口から立設させることができる。
【発明の効果】
【００１０】
本発明に係る内視鏡用処置具によれば、処置の際に操作部が握りやすく操作しやすくなるので，術者の手への負担が減って操作性を向上することができる。
【発明を実施するための最良の形態】
【００１１】
本発明に係る第１の実施形態について、図１から図４を参照して説明する。
本実施形態に係る鉗子（内視鏡用処置具）１は、内視鏡２の鉗子口３から鉗子チャンネル５内に挿通される可撓性の操作管部６と、操作管部６の先端に接続された一対の鉗子片（処置具先端部）７、８と、操作管部６の基端に接続され一対の鉗子片７、８を開閉操作する操作部１０とを備えている。
操作管部６の内部には、進退操作によって一対の鉗子片７、８を駆動する操作ワイヤ部１１が配設されている。
【００１２】
操作部１０は、操作管部６の基端に一端１２ａが固定され操作管部６が鉗子チャンネル５に挿通された状態で鉗子口３から立設される本体１２と、操作ワイヤ部１１の基端と接続され本体１２の一端１２ａ側と他端１２ｂ側との間で進退自在なスライダ部１３とを備えている。
スライダ部１３は板状に形成されるとともに、親指と係合可能な第１の指受け部１５を備えており、本体１２の中心軸Ｃ上、かつ、操作ワイヤ部１１上に親指が挿通可能な親指孔部１６が備えられている。親指孔部１６の大きさは、例えば、径が３０ｍｍ程度が好ましい。
本体１２は、中央の一部が一端１２ａ側から他端１２ｂ側に向かって刳り貫かれており、幅方向両端部が、操作ワイヤ部１１を中央に挟んでこれと平行に延びる２本の平行なレール１７、１８とされている。
本体１２の先端である一端１２ａには、鉗子チャンネル５と嵌合可能な剛性部２０が設けられており、図３（ａ）に示すように、剛性部２０の先端に操作管部６の基端が接続されている。また、他端１２ｂには、人差し指や中指等のその他の指が係合可能な円筒状の第２の指受け部２１が本体１２の中心軸Ｃ上に設けられている。
スライダ部１３は、２本のレール１７、１８間を横断するとともにこれらに係合されて配されており、レール１７、１８上を滑って進退操作される。
なお、図３（ｂ）に示すように、剛性部２０の内部に貫通して操作管部６が配されているものでもよい。
【００１３】
次に、本実施形態に係る鉗子１の操作方法について説明する。
まず、鉗子１を一対の鉗子片７、８側から鉗子口３に挿入して操作管部６を鉗子チャンネル５内に挿通させて、剛性部２０を鉗子チャンネル５内に嵌合する。これによって、操作部１０が鉗子口３から垂れ下がらず、その上方に立設した状態で取り付けられる。
鉗子１を操作する場合、手をあげた際の状態でそのまま第１の指受け部１５に親指を係合し、第２の指受け部２１にこれを間に挟むように人差し指と中指とを係合する。
こうして、本体１２の一端１２ａ側に配された親指と他端１２ｂ側に配された人差し指と中指との間でスライダ部１３をスライド操作することによって、一対の鉗子片７、８を開閉操作させることができる。
【００１４】
この鉗子１によれば、操作部１０を鉗子口３から立設した状態で操作しても、操作部の下方に親指が配され、上方に人差し指と中指とが配されるため、従来のように手首をひねることなく、自然、かつ、楽な姿勢でスライダ部のスライド操作を確実に行うことができる。
また、指の操作方向が、スライダ部１３のスライド方向に沿ったものとなって、スライダ部１３の操作が容易になるとともに操作の際に無駄な力を入れずに操作することができる。
さらに、剛性部２０を鉗子口３に挿入することによって鉗子チャンネルと嵌合させるため、鉗子口３から操作部１０を立設させて安定した操作をすることができる。
【００１５】
次に、第２の実施形態について図５及び図６を参照しながら説明する。
なお、上述した第１の実施形態と同様の構成要素には同一符号を付すとともに説明を省略する。
第２の実施形態と第１の実施形態との異なる点は、第１の実施形態では、操作部１０の本体の中心軸上に第１の指受け部１５と第２の指受け部２１とが配設されているが、第２の実施形態に係る鉗子２２では、操作部２３の本体２５における第２の指受け部２６が、人差し指が挿通可能な人差し指用孔部（孔部）２７と中指が挿通可能な中指用孔部（孔部）２８とを備え、人差し指用孔部２７と中指用孔部２８との全体の中心Ｃ１と親指孔部１６の中心Ｃ２とを結ぶ直線Ｌが、本体２５と親指孔部１６とが干渉しない程度に本体２５の中心軸Ｃから離間した位置で中心軸Ｃと平行に配され、親指孔部１６、人差し指用孔部２７、及び中指用孔部２８が同一の平面上に配されるとともに、各孔の中心軸が中心軸Ｃ及び直線Ｌを含む面に対して鉛直方向とされているとした点である。
【００１６】
本体２５は、棒状に形成されるとともに、中央の一部が一端２５ａ側から他端２５ｂ側に向かって刳り貫かれており、幅方向両端部に、それぞれ軸方向に平行に延びる第１のレール３１と第２のレール３２とが形成されている。
スライダ部３０は、第１のレール３１位置から第２のレール３２位置を横断してさらに離間した位置まで本体２５の幅方向に拡がって板状に形成されるとともに、第１のレール３１と第２のレール３２とにそれぞれ係合されて配されており、各レール上を滑って進退操作される。
スライダ部３０には、親指と係合可能な第１の指受け部１５が設けられており、第２のレール３２から離間した位置に親指が挿通可能な親指孔部１６が備えられている。
【００１７】
本体２５の一端２５ａには、鉗子チャンネル５と嵌合可能な剛性部２０が設けられている。また、他端２５ｂには、第２の指受け部２６が第２のレール３２方向に板状に張り出して設けられている。
人差し指用孔部２７と中指用孔部２８とは、本体２５の中心軸Ｃ及び直線Ｌと鉛直方向に直列にそれぞれ配されるとともに直線Ｌに対して線対称に配され、中指用孔部２８が人差し指孔部２７よりも中心軸Ｃから遠方位置に配されている。
【００１８】
次に、本実施形態に係る鉗子２２の操作方法について説明する。
まず、鉗子２２を、第１の実施形態と同様に、剛性部２０を鉗子チャンネル５内に嵌合して、操作部２３を鉗子口３から上方に立設した状態で取り付ける。
鉗子２２を操作する場合、第１の指受け部１５の親指孔部１６に親指を係合し、第２の指受け部２６の人差し指用孔部２７及び中指用孔部２８にそれぞれ人差し指と中指とを係合する。
こうして、本体２５の一端２５ａ側に配された親指と他端２５ｂ側に配された人差し指と中指との間でスライダ部３０をスライド操作することによって、一対の鉗子片７、８を開閉操作させることができる。
なお、人差し指用孔部２７及び中指用孔部２８には、人差し指、中指だけでなく、薬指や小指を係合させてもよい。
【００１９】
この鉗子２２によれば、第１の実施形態と同様の作用・効果を得ることができるが、第２の指受け部２６に人差し指用孔部２７及び中指用孔部２８が形成され、それぞれの位置が上述の位置に配されているので、人差し指及び中指もそれぞれの孔部に係合させた状態で、スライダ部の操作がより容易になるとともに操作の際に無駄な力を入れる必要がなく、より楽な姿勢で操作することができる。
【００２０】
なお、本発明の技術範囲は上記実施の形態に限定されるものではなく、本発明の趣旨を逸脱しない範囲において種々の変更を加えることが可能である。
例えば、上記実施形態では、第２の指受け部２６が人差し指用孔部２７と中指用孔部２８とを備えているとしているが、孔部は２つに限らず、これらをつなげて一つの大きな長孔としてもよく、また３つ以上配設しても構わない。
また、本体の先端に、鉗子口３に着脱可能な取付部が設けられているとしてもよい。
この場合、取付部を鉗子口３に取り付けて固定することによって、操作部をより安定した状態で鉗子口３から立設させることができる
さらに、内視鏡用処置具として高周波処置具を使用する場合、高周波電流を印加するためのプラグ３３を図７に示すようにスライダ部３５に配設することによって、上述と同様な操作が可能となる。
【図面の簡単な説明】
【００２１】
【図１】本発明の第１の実施形態に係る内視鏡用処置具を示す一部断面を含む側面図である。
【図２】図１のＸ−Ｘ断面図である。
【図３】本発明の第１の実施形態に係る内視鏡用処置具の剛性部を示す断面図である。
【図４】本発明の第１の実施形態に係る内視鏡用処置具の操作方法を示す説明図である。
【図５】本発明の第２の実施形態に係る内視鏡用処置具の操作部を示す側面図である。
【図６】本発明の第２の実施形態に係る内視鏡用処置具の操作方法を示す説明図である。
【図７】本発明の第２の実施形態に係る内視鏡用処置具の操作部のその他の例を示す側面図である。
【図８】従来の処置具の操作方法を示す説明図である。
【符号の説明】
【００２２】
１、２２  鉗子（内視鏡用処置具）
２  内視鏡
３  鉗子口
５  鉗子チャンネル
６  操作管部
７、８  鉗子片（処置具先端部）
１０、２３  操作部
１２、２５  本体
１２ａ、２５ａ  一端
１２ｂ、２５ｂ  他端
１３、３０、３５  スライダ部
１５  第１の指受け部
１６  親指孔部
２０  剛性部
２１  第２の指受け部
２７  人差し指用孔部（孔部）
２８  中指用孔部（孔部）
【図１】
2005080883.tif 000003
【図２】
2005080883.tif 000004
【図３】
2005080883.tif 000005
【図４】
2005080883.tif 000006
【図５】
2005080883.tif 000007
【図６】
2005080883.tif 000008
【図７】
2005080883.tif 000009
【図８】
2005080883.tif 000010